(57)【要約】【課題】非動作状態で保管している際に発生した結露による光学装置の破損の発生を抑えることができるプロジェクターを提供する。【解決手段】投写する映像を生成するためのＤＭＤ３４と、ＤＭＤ３４の除湿を促進するファン３０ａと、ＤＭＤ３４やファン３０ａに供給するための電力を出力する主電源部４１と、主電源部４１からの電力をＤＭＤ３４やファン３０ａに導く電力供給回路とを備えるプロジェクターにおいて、ＤＭＤ３４に対してスイッチング回路を介して主電源部４１からの電力を供給するようにし、操作制御部２５に設けられた除湿ボタンが押されたことに基づいて、スイッチング回路のオフによってＤＭＤ３４に電力を供給しない状態でファン３０ａに電力を供給して除湿を促進するようにした。【選択図】図１
2016109851.tif 000002
【特許請求の範囲】
【請求項１】
投写する映像を生成するための光学装置と、前記光学装置を除湿する除湿手段と、前記光学装置及び前記除湿手段に供給するための電力を出力する電源と、前記電源からの電力を前記光学装置及び前記除湿手段に導く電力供給回路とを備える画像投写装置において、
前記光学装置に対する電力の入切と、前記除湿手段に対する電力の入切とを個別に行うように前記電力供給回路を構成し、所定の命令に基づいて、前記光学装置に電力を供給せず且つ前記除湿手段に電力を供給して前記光学装置の除湿を行う制御を実施する制御手段を設けたことを特徴とする画像投写装置。
【請求項２】
請求項１の画像投写装置であって、
前記光学装置がＤＭＤ（Ｄｉｇｉｔａｌ  Ｍｉｃｒｏｍｉｒｒｏｒ  Ｄｅｖｉｃｅ）であり、且つ前記除湿手段が機内外での通気を促すファンであることを特徴とする画像投写装置。
【請求項３】
請求項１又は２の画像投写装置において、
投写面に映像を結像するためのレンズと、レンズを機外に露出させたり機外から遮断したりするための開閉シャッターと、前記開閉シャッターの開閉の駆動源とを設け、前記光学装置の除湿を行っているときには前記開閉シャッターを閉じる制御を実施するように、前記制御手段を構成したことを特徴とする画像投写装置。
【発明の詳細な説明】
【技術分野】
【０００１】
本発明は画像投写装置に関するものである。
【背景技術】
【０００２】
従来より、投写する映像を生成するための光学装置と、光学装置を除湿する除湿手段とを備える画像投写装置としてのプロジェクターが知られている。
【０００３】
例えば、特許文献１には、液晶パネルなどを具備する光学装置と、除湿装置とを備えるプロジェクターが記載されている。機内での発熱に伴って光学装置の内部に結露が発生すると、液晶パネルなどを壊してしまうおそれがある。そこで、このプロジェクターでは、除湿装置によって機内の空気を除湿しながら光学装置に通すことで、光学装置内を除湿するようになっている。
【発明の概要】
【発明が解決しようとする課題】
【０００４】
しかしながら、このプロジェクターでは、次のような場合には、除湿が間に合わずに光学装置を破壊してしまうおそれがあった。即ち、電源供給を断った状態でプロジェクターを保管しているときに機内外の温度差などによって光学装置内に結露を発生させた後、そのままの状態で電源スイッチをオンした場合である。このような場合には、結露を発生させた状態の光学装置に電力を供給することになるので、水滴による回路のショートによって光学装置を破壊してしまうおそれがあるのである。
【課題を解決するための手段】
【０００５】
上述した課題を解決するために、本発明は、投写する映像を生成するための光学装置と、前記光学装置を除湿する除湿手段と、前記光学装置及び前記除湿手段に供給するための電力を出力する電源と、前記電源からの電力を前記光学装置及び前記除湿手段に導く電力供給回路とを備える画像投写装置において、前記光学装置に対する電力の入切と、前記除湿手段に対する電力の入切とを個別に行うように前記電力供給回路を構成し、所定の命令に基づいて、前記光学装置に電力を供給せず且つ前記除湿手段に電力を供給して前記光学装置の除湿を行う制御を実施する制御手段を設けたことを特徴とするものである。
【発明の効果】
【０００６】
本発明によれば、保管中に発生した結露による光学装置の破損の発生を抑えることができるという優れた効果がある。
【図面の簡単な説明】
【０００７】
【図１】実施形態に係るプロジェクターの電気回路を示すブロック図。
【図２】同プロジェクターの制御手段によって実施される制御の処理フローを示すフローチャート。
【図３】実施例に係るプロジェクターの制御手段によって実施される制御の処理フローを示すフローチャート。
【発明を実施するための形態】
【０００８】
以下、本発明を適用したプロジェクターの一実施形態について説明する。
まず、実施形態に係るプロジェクターの基本的な構成について説明する。図１は、実施形態に係るプロジェクターの電気回路を示すブロック図である。同図において、映像入力端子部２０は、映像情報を出力する外部機器に接続されるための複数の端子を具備している。ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ：登録商標）端子、ビデオ入力端子、コンピュータ機器などに接続されるためのＲＧＢ端子等である。
【０００９】
映像音声処理部２１は、外部機器から出力されてくる映像データをＲＧＢのデジタル映像データに変換して主制御部１０に転送する。また、映像入力端子部２０や主制御部１０から出力されてくる音声データをＤ／Ａ変換してスピーカーなどの音声出力ユニット２２に出力する。
【００１０】
主制御部１０は、メインプロセッサであるＣＰＵ（Ｃｅｎｔｒａｌ  Ｐｒｏｃｅｓｓｉｎｇ  Ｕｎｉｔ）１１を具備している。また、データを一時的に格納しておくメモリデバイス（例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等）１３も具備している。更には、制御プログラム等を記憶しているＲＯＭ（Ｒｅａｄ  Ｏｎｌｙ  Ｍｅｍｏｒｙ）１２も具備している。
【００１１】
ＮＶＲＡＭ１４は、電源ＯＦＦ時にも各種の情報を記録しておくデータ保持メモリデバイスである。主制御部１０は、映像音声処理部２１から転送されてくるＲＧＢ映像データをスクリーンに表示するために、ランプ駆動部３１、光学制御部３０などを制御する。
【００１２】
ランプ駆動部３１や光学制御部３０は、主制御部１０の制御により、ランプ３２や光学ユニット３３を制御する。光学ユニット３３は、液晶ライトバルブやカラーホイール、ＤＭＤ（Ｄｉｇｉｔａｌ  Ｍｉｃｒｏｍｉｒｒｏｒ  Ｄｅｖｉｃｅ）３４などを具備している。また、映像をスクリーンに表示する為の映像光を反射するミラー、拡大／縮小するレンズなども具備している。
【００１３】
光学制御部３０は、液晶ライトバルブの駆動制御部、カラーホイール、ＤＭＤの駆動制御部などを具備している。ランプ３２としては、通常ランプの他に、ＬＥＤやレーザーなどを用いることが可能である。
【００１４】
操作制御部２５は、複数のキーを有するキーボードと、状態を表示するディスプレイとを具備している。キーボードには、本装置の電源をＯＮ／ＯＦＦする電源キー、各種設定を行うメニューキー、↓キー、↑キー、←キー、→キー、決定キー、入力信号の切替を行うインプットキー等が設けられている。各種の設定や、映像データの入力切替などについては、主制御部１０がＯＳＤ（Ｏｎ  Ｓｃｒｅｅｎ  Ｄｉｓｐｌａｙ）処理を行うことで、画面表示にて容易に行うことができる。
【００１５】
リモコン２６には、操作制御部２５と同じ機能を有する電源キー、メニューキー、↓キー、↑キー、←キー、→キー、決定キー、各映像入力端子を切り替えるキー、数字入力の０〜９キー等が設けられている。キーが押されるとキーに対応するコードの赤外線データがリモコン２６からプロジェクター本体に向けて送信される。その赤外線データを受信して、主制御部１０に転送する。
【００１６】
主電源部４１は、各種の制御部や、各種のユニットに供給するための電力を出力する。電源制御部５１は、この主電源部４１からの電力出力の入切を制御する。具体的には、リモコン２６からの電源オンの信号が送られてくると主電源部４１からの電力を出力させ、電源オフの信号が送られてくると主電源部４１からの電力出力を切る。この電源制御部５１については、マイコンやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などで構成することが可能である。
【００１７】
副電源部４０は、ＡＣ電源が入力されているときに、電源制御部５１や操作制御部２５に電力を供給する。
【００１８】
光学制御部３０は、ファン３０ａを具備している。光学制御部３０に対して電力が供給されると、ファン３０ａが回転し、機外から機内への空気の取り込みを促すとともに、機内から機外への空気の排出を促す。これにより、機内には気流が発生し、光学ユニット３３に対する通気が活発になる。この通気により、光学ユニット３３内の除湿が促される。このように、ファン３０ａは、除湿手段として機能している。
【００１９】
操作制御部２５、電源制御部５１、主制御部１０、ＤＭＤ信号供給制御部５３、光学制御部３０、ＤＭＤ電源供給制御部５２、及びレンズシャッター制御部５４の組み合わせは、各種のユニット等を制御する制御手段として機能している。
【００２０】
次に、実施形態に係るプロジェクターの特徴的な構成について説明する。
主電源部４１と、主電源部４１から出力される電力の供給を受ける各種の制御部やユニットとは、電力供給回路によって電気的に接続されている。この電力供給回路は、基本的には、主電源部４１から出力された電力をそのまま各種の制御部やユニットに伝えるものであるが、光学ユニット３３のＤＭＤ３４に対しては、スイッチング回路を介して光学ユニット３３に伝える。そのスイッチング回路のスイッチの入切は、ＤＭＤ電源供給制御部５２によって制御される。主電源部４１から電力が出力されていても、ＤＭＤ電源供給制御部５２がスイッチング回路のスイッチを切っている場合には、光学ユニット３３のＤＭＤ３４に対して電力が供給されない。これにより、実施形態に係るプロジェクターでは、光学ユニット３３のＤＭＤ３４に対する電力の入切と、除湿手段たるファン３０ａに対する電力の入切とを個別に行うことが可能になっている。
【００２１】
操作制御部２５には、除湿ボタンが設けられている。主電源部４１からの電力の出力が切られている状態（電源オフ状態）で、この除湿ボタンが押されると、制御手段が除湿処理を開始する。なお、電源オフ状態では、ＤＭＤ電源供給制御部５２に対しては電力が供給されないので、ＤＭＤ電源供給制御部５２から上記スイッチング回路への信号の出力が行われない。そして、この状態では、上記スイッチング回路のスイッチが切られている。スイッチング回路としては、例えば電源ＩＣを用いることが可能である。この電源ＩＣのスイッチをＥｎａｂｌｅ／Ｄｉｓａｂｌｅ制御等によって入切すればよい。
【００２２】
図２は、実施形態に係るプロジェクターの制御手段によって実施される制御の処理フローを示すフローチャートである。制御手段は、まず、除湿キーについて押されたか否かを判定する（ステップ１：以下、ステップをＳと記す）。そして、除湿キーが押されていない場合には（Ｓ１でＮｏ）、リモコンの電源オンキーについて押されたか否かを判定し（Ｓ２）、押されていない場合には（Ｓ２でＮｏ）、処理フローをＳ１にループさせる。除湿キー、電源オンキーの何れかが押されるまでは、Ｓ１→Ｓ２→Ｓ１という処理フローが繰り返される。
【００２３】
電源キーが押されると（Ｓ２でＹｅｓ）、ＤＭＤ供給信号をＨｉｇｈにした後（Ｓ９）、主電源部４１から電力を出力させる。これにより、各種の制御部や各種のユニットに電力が供給されるようになるが、上記スイッチング回路のスイッチは切られたままであるので、光学ユニット３３に対する電力の供給は行われない。
【００２４】
一方、電源キーが押されないまま、除湿キーが押されると（Ｓ１でＹｅｓ）、制御手段はＤＭＤ供給信号をＬｏｗにした後（Ｓ２）、主電源部４１から電力を出力させる。この場合にも、各種の制御部や各種のユニットに電力が供給されるようになるが、上記スイッチング回路のスイッチは切られたままであるので、光学ユニット３３に対する電力の供給は行われない。
【００２５】
制御手段は、主電源部４１から電力を出力させると、次に、ＤＭＤ供給信号について、Ｌｏｗであるか否かを判定する（Ｓ４）。このとき、Ｌｏｗである場合（Ｓ４でＹｅｓ）には、除湿キーが押されたことに基づいて主電源部４１からの電力出力をオンしたことになる。これに対し、Ｌｏｗで内場合（Ｓ４でＮｏ）には、電源オンキーが押されたことに基づいて主電源部４１からの電力出力をオンしたことになる。
【００２６】
制御手段は、電源オンキーが押されたことに基づいて電源オン状態にした場合（Ｓ４でＮｏ）には、スイッチング回路のスイッチをオンにしてＤＭＤ３４に対する電力供給を行う。更に、映像データに基づくＤＭＤ３４への信号の供給もオンにする（Ｓ１０）。信号のオンオフには、アナログＳＷ  ＩＣのＥｎａｂｌｅ／Ｄｉｓａｂｌｅ制御等によって行われる。ＤＭＤ３４に対する信号の供給をオンにした後には、映像データに基づく投影処理を行う（Ｓ１１）。そして、電源オフキーが押されると（Ｓ１２でＹｓｅ）、主電源部４１からの電力出力を断って電源オフ状態にした後、処理フローをリターンさせる。
【００２７】
一方、除湿キーが押されたことに基づいて電源オン状態にした場合（Ｓ４でＹｅｓ）には、制御手段は、除湿処理を開始する。具体的には、ＤＭＤ３４に対する電力や信号の供給をオフにしたまま、タイマーによる計時処理を開始する（Ｓ５）。先のＳ３の工程で、電源オン状態にしてあるので、ファン３０ａの回転によるＤＭＤ３４の除湿促進については既に行っている。除湿処理は、このように、ＤＭＤ３４への電力供給を断っている状態で、ファン３０ａの回転によるＤＭＤ３４の除湿促進を行う処理である。除湿処理を開始して所定時間が経過すると（Ｓ６でＹｅｓ）、制御手段は電源オフ状態にして処理フローをリターンさせる。除湿処理の実施時間の設定については、リモコン操作によって可変できるようにしてもよいし、電源制御部５１に設けた時計機能によって可変できるようにしてもよいし、普遍の定時（例．月単位）にしてもよい。
【００２８】
かかる構成では、ＤＭＤ３４への電力供給を断った状態でファン３０ａを回転させてＤＭＤ３４の除湿を促すことで、動作停止状態で保管されていたときに発生したＤＭＤ３４内の結露を、ＤＭＤ３４に電力供給することなく解消する。これにより、保管中に発生した結露によるＤＭＤ３４の破損の発生を抑えることができる。
を動作させる
【００２９】
次に、実施形態に係るプロジェクターに、より特徴的な構成を付加した実施例について説明する。なお、以下に特筆しない限り、実施例に係るプロジェクターの構成は、実施形態と同様である。
【００３０】
図１に示されるように、プロジェクターは、レンズ５６、開閉シャッターたるレンズシャッター５７、シャッターモーター５５を有している。レンズ５６は、スクリーンの投写面に映像を結像するためのものである。また、レンズシャッター５７は、レンズ５６を機外に露出させたり機外から遮断したりするためのものである。また、シャッターモーター５５は、レンズシャッター５７の開閉の駆動源である。
【００３１】
図３は、実施例に係るプロジェクターの制御手段によって実施される制御の処理フローを示すフローチャートである。この処理フローは、レンズシャッター５７の開閉を行う点が、図２の処理フローと異なっている。具体的には、ＤＭＤ３４を駆動する場合には（Ｓ７）、レンズシャッターを開くことで（Ｓ１２）、映像の投影を可能にする。これに対し、除湿処理については、レンズシャッターを閉じてレンズ５６を隠した状態で実施する（Ｓ６）。レンズシャッターを閉じた状態で除湿処理を行うことで、不必要なレンズ５６の露出を防止することができる。
【００３２】
なお、光学装置たる光学ユニット３４のうち、ＤＭＤ３４だけに対する電力供給だけをスイッチング回路によって個別に入切するようにしているが、光学ユニット３４全体に対する電力供給を個別に入切するようにしてもよい。
【００３３】
以上に説明したものは一例であり、本発明は、次の態様毎に特有の効果を奏する。
［態様Ａ］
投写する映像を生成するための光学装置（例えば光学ユニット３３のＤＭＤ３４）と、前記光学装置を除湿する除湿手段（例えばファン３０ａ）と、前記光学装置及び前記除湿手段に供給するための電力を出力する電源（例えば主電源部４１）と、前記電源からの電力を前記光学装置及び前記除湿手段に導く電力供給回路とを備える画像投写装置において、前記光学装置に対する電力の入切と、前記除湿手段に対する電力の入切とを個別に行うように前記電力供給回路を構成し、所定の命令に基づいて、前記光学装置に電力を供給せず且つ前記除湿手段に電力を供給して前記光学装置の除湿を行う制御を実施する制御手段を設けたことを特徴とするものである。
【００３４】
かかる構成においては、動作停止状態で保管されているときに光学装置内に結露が発生した場合に、ユーザーの命令等に基づいて、光学装置への電力供給を断った状態で除湿手段を駆動させて光学装置の除湿を促す。これにより、光学装置に電力を供給することなく光学装置内の結露を解消することで、光学装置への電力供給を開始するときには光学装置内に水滴を存在させていない状態になるので、保管中に発生した結露による光学装置の破損の発生を抑えることができる。
【００３５】
［態様Ｂ］
態様Ｂは、態様Ａであって、前記光学装置がＤＭＤ（Ｄｉｇｉｔａｌ  Ｍｉｃｒｏｍｉｒｒｏｒ  Ｄｅｖｉｃｅ）であり、且つ前記除湿手段が機内外での通気を促すファンであることを特徴とするものである。かかる構成では、ＤＭＤへの電力供給を断った状態でファンを回転させることで、保管中に発生した結露によるＤＭＤの破損の発生を抑えることができる。
【００３６】
［態様Ｃ］
態様Ｃは、態様Ａ又はＢにおいて、投写面に映像を結像するためのレンズ（例えばレンズ５６）と、レンズを機外に露出させたり機外から遮断したりするための開閉シャッター（例えばレンズシャッター５７）と、前記開閉シャッターの開閉の駆動源（例えばシャッターモーター５５）とを設け、前記光学装置の除湿を行っているときには前記開閉シャッターを閉じる制御を実施するように、前記制御手段を構成したことを特徴とするものである。かかる構成では、レンズの不要な露出を回避することができる。
【符号の説明】
【００３７】
１０：主制御部（制御手段の一部）
２５：操作制御部２５（制御手段の一部）
３０：光学制御部（制御手段の一部）
３０ａ：ファン（除湿手段）
３４：ＤＭＤ（光学装置）
４１：主電源部（電源）
５１：電源制御部（制御手段の一部）
５２：ＤＭＤ電源供給制御部（制御手段の一部）
５３：ＤＭＤ信号供給制御部（制御手段の一部）
５４：レンズシャッター制御部（制御手段の一部）
５５：シャッターモーター（駆動源）
５６：レンズ
５７：レンズシャッター（開閉シャッター）
【先行技術文献】
【特許文献】
【００３８】
【特許文献１】特開２０１１−２１５４５７号公報
【図１】
2016109851.tif 000003
【図２】
2016109851.tif 000004
【図３】
2016109851.tif 000005